(57)【要約】      （修正有）【課題】車両の天井部分に取り付けられる電子機器本体と、開閉自在に設けた表示装置において、表示装置が開いた状態においても、運転者の後方視界を広げることを目的とする。【解決手段】車両１の天井４部分に取り付けられる電子機器本体６と、この電子機器本体６に対して開閉自在に設けた表示装置７とを備え、表示装置７は、その両側に開閉軸を有し、この開閉軸に対応する電子機器本体６には、車両１の天井４方向に突出する突部を形成した。【選択図】図１
2013103595.tif 000002
【特許請求の範囲】
【請求項１】
車両の天井部分に取り付けられる電子機器本体と、この電子機器本体に対して開閉自在に設けた表示装置とを備え、
前記表示装置は、その両側に開閉軸を有し、この開閉軸に対応する前記電子機器本体には、車両の天井方向に突出する突部を形成した車載用電子機器。
【請求項２】
前記表示装置の少なくとも一方の開閉軸には、回動機構を連結した請求項１に記載の車載用電子機器。
【請求項３】
電子機器本体は、車両の天板部分に取り付けられる天井板と、この天井板の下方に配置した化粧板とを有し、前記天井板および化粧板の前記表示装置の開閉軸に対応する部分に突部を形成した請求項１、または、２に記載の車載用電子機器。
【発明の詳細な説明】
【技術分野】
【０００１】
本発明は、車載用電子機器に関するものである。
【背景技術】
【０００２】
従来のたとえば車内の天井部分に装着される車載用電子機器は、以下のような構成となっていた。
【０００３】
すなわち、車両の天井部分に取り付けられる電子機器本体と、この電子機器本体に対して開閉自在に設けた表示装置とを備え、前記表示装置は、その両側に開閉軸を有する構成となっていた。
【０００４】
つまり、表示装置に映像を表示させるときには、この表示装置の電子機器本体から開放し、また映像を見終わったときには、前記表示装置を電子機器本体に閉じるような構成となっていた（たとえば下記特許文献１）。
【先行技術文献】
【特許文献】
【０００５】
【特許文献１】特開２００５−３３５５６４号公報
【発明の概要】
【発明が解決しようとする課題】
【０００６】
上記従来例においては、表示装置によって映像を楽しむときには、この表示装置が電子機器本体から開放されて車内において天井から垂直方向に垂れ下がった状態となる。このため、運転者にとっては、この電子装置が後方視界を狭めることになる。
【０００７】
そこで本発明は、後方視界を広げることを目的とする。
【課題を解決するための手段】
【０００８】
そして、この目的を達成するために本発明の電子機器は、車両の天井部分に取り付けられる電子機器本体と、この電子機器本体に対して開閉自在に設けた表示装置とを備え、前記表示装置は、その両側に開閉軸を有し、この開閉軸に対応する前記電子機器本体には、車両の天井方向に突出する突部を形成し、これにより所期の目的を達成するものである。
【発明の効果】
【０００９】
以上のように、本発明は、車両の天井部分に取り付けられる電子機器本体と、この電子機器本体に対して開閉自在に設けた表示装置とを備え、前記表示装置は、その両側に開閉軸を有し、この開閉軸に対応する前記電子機器本体には、車両の天井方向に突出する突部を形成したものであるので、後方視界を広げることができる。
【００１０】
すなわち、本発明においては、前記電子機器本体の前記表示装置の開閉軸に対応する部分に、車両の天井方向に突出する突部を形成したものであるので、表示装置の開閉軸が車両の天上方向に移動することとなり、その結果として、表示装置の上方に移動し、これにより後方視界を広げることができるのである。
【図面の簡単な説明】
【００１１】
【図１】本発明の一実施形態における車載用電子機器を装着した車両を示す図
【図２】同車載用電子機器の表示装置を閉じた状態を示す斜視図
【図３】同車載用電子機器の表示装置を開いた状態を示す斜視図
【図４】同車載用電子機器の開閉機構を示す図
【図５】同車載用電子機器の上方よりの斜視図
【図６】同車載用電子機器の表示装置の回転軸部分を示す断面図
【発明を実施するための形態】
【００１２】
以下、本発明の実施の形態を添付図面を用いて説明する。
【００１３】
（実施の形態１）
図１において、１は車両を示し、その車内２の後部座席３前方の天井４部分には、車載用電子機器５が取り付けられている。この車載用電子機器５は、図２、図３に示すように、その電子機器本体６から表示装置７を開放し、そのディスプレイ（図３の８）に映像を映すことで、例えば映画やテレビを楽しむものである。この車載用電子機器５は、図２、図３に示す如く、非使用時は、電子機器本体６に対して表示装置７を閉じた状態とすることで、後部座席３前方の空間を確保するとともに、運転者からの後方視界を広くするようになっている。
【００１４】
さて、前記車載用電子機器５は、図１から図３に示す如く、天井４に取り付けられる電子機器本体６と、この電子機器本体６に対して開閉自在に設けた表示装置７とを備え、前記表示装置７は、図４に示す如くその両側に開閉軸９、１０を有する。
【００１５】
この開閉軸９は、表示装置７を図２から図３の如く開放したり、図３から図２の如く閉成したりするための開閉機構１１が連結されている。また、開閉軸１０には、例えば、表示装置７を図２から図３の如く開放したり、図３から図２の如く閉成したときに、その位置で表示装置７を定位置に保つためのブレーキ装置１２が連結されている。
【００１６】
本実施形態における特徴は、図３の如く表示装置７が開放された状態においても、運転者からの後方視界を広くすることである。
【００１７】
具体的には、前記電子機器本体６は、車両１の天井４部分に取り付けられる図５、図６に示す天井板１３と、この天井板１３の下方に配置した化粧板１４とを有し、前記天井板１３および化粧板１４の前記表示装置７の開閉軸９、１０に対応する部分には、天井４方向に突出した突部１５、１６を形成した。
【００１８】
この点についてさらに詳細に説明すると、化粧板１４の開閉軸９、１０に対向する部分には、天井４方向に突出した突部１６が形成され、この突部１６内に表示装置７の開閉軸９、１０部分を配置することで、表示装置７が開放された状態においても、この表示装置７が天井４方向に移動し、これにより運転者からの後方視界を広くするようにしている。
【００１９】
また、天井板１３の前記表示装置７の開閉軸９、１０に対応する部分には、突部１５を設け、この突部１５内に前記化粧板１４の突部１６を配置した。
【００２０】
このため、表示装置７が開放された状態においても、この表示装置７が天井４方向に、さらに移動し、これにより運転者からの後方視界を広くすることができる。
【００２１】
また、図５、図６に示すように天井板１３の前記表示装置７の開閉軸９、１０に対応する部分に突部１５を設ければ、この突部１５部分の強度が強くなり、この強くなった突部１５部分に前記化粧板１４の突部１６を図６に示す如く押し当てることで、この部分における定形性が高まり、これにより表示装置７の開閉がスムーズに行えるものとなる。
【産業上の利用可能性】
【００２２】
以上のように、本発明は、車両の天井部分に取り付けられる電子機器本体と、この電子機器本体に対して開閉自在に設けた表示装置とを備え、前記表示装置は、その両側に開閉軸を有し、この開閉軸に対応する前記電子機器本体には、車両の天井方向に突出する突部を形成したものであるので、後方視界を広げることができる。
【００２３】
すなわち、本発明においては、前記電子機器本体の前記表示装置の開閉軸に対応する部分に、車両の天井方向に突出する突部を形成したものであるので、表示装置の開閉軸が車両の天上方向に移動することとなり、その結果として、表示装置の上方に移動し、これにより後方視界を広げることができるのである。
【００２４】
したがって、車載用電子機器としての活用が期待されるものとなる。
【符号の説明】
【００２５】
１  車両
２  車内
３  後部座席
４  天井
５  車載用電子機器
６  電子機器本体
７  表示装置
８  ディスプレイ
９、１０開閉軸
１１  開閉機構
１２  ブレーキ装置
１３  天井板
１４  化粧板
１５、１６  突部
【図１】
2013103595.tif 000003
【図２】
2013103595.tif 000004
【図３】
2013103595.tif 000005
【図４】
2013103595.tif 000006
【図５】
2013103595.tif 000007
【図６】
2013103595.tif 000008